(57)【特許請求の範囲】
【請求項１】
遊技球が流下可能な遊技領域を前面に備えた遊技板と、
前記遊技板の前面から突出し、前記遊技領域を囲む包囲壁と、
前記遊技領域に配置され、遊技状況に応じた演出を行う遊技演出部材と、
前記遊技演出部材の側縁部に配置されて前記遊技板の前面から突出し、前記遊技板の左右方向で前記包囲壁に対向した演出部材側縁突壁と、
前記遊技板の前面から突出し、前記遊技領域のうち前記演出部材側縁突壁と前記包囲壁とに挟まれた側部領域を、遊技球が流下可能な複数の流下経路に分割する複数の流下経路分割突部とを備えた遊技機において、
前記側部領域のうち前記複数の流下経路分割突部の下方には、
前記演出部材側縁突壁のうち前記包囲壁との対向面と隣り合わせに配置されて上方に開口するか又は、前記演出部材側縁突壁のうち前記包囲壁との対向面に開口するかして、遊技球が入球又は通過可能であると共に入球又は通過したときに遊技者に利益を付与する入賞口と、
前記入賞口の開口縁から前記包囲壁に向かって斜め上方に延びて前記入賞口に遊技球を誘導可能な入賞ガイド面を有する誘導部材と、
前記誘導部材と前記包囲壁との間に設けられ、前記入賞口から外れた遊技球が通過可能な側方外れ球通過路とが備えられ、
前記入賞ガイド面の最上端位置と前記演出部材側縁突壁とを水平に結ぶ線分を、前記入賞ガイド面の最上端位置を中心に下方から上方に回動して最初に前記流下経路分割突部に接したときのその線分を入賞境界線分とすると共に、前記入賞境界線分と前記入賞ガイド面と前記演出部材側縁突壁とに囲まれた領域を、前記入賞境界線分と前記入賞ガイド面と前記演出部材側縁突壁とに囲まれていない領域よりも前記入賞口に入球又は通過し易い高確率流下領域とし、その高確率流下領域が１つ以上の遊技球が進入可能な大きさになるように前記複数の流下経路分割突部を配置し、かつ前記演出部材側縁突壁と前記入賞境界線分との交差部には遊技球が入球可能な入球部を設けないように構成し、
前記演出部材側縁突壁に前記包囲壁に向かって突出した突出部を設け、その突出部の下方に前記入賞口を配置すると共に、前記入賞境界線分が前記演出部材側縁突壁における前記突出部から下方に延びる奥面部と交差するように構成されたことを特徴とする遊技機
【請求項２】
前記遊技板の前面には、前記演出部材側縁突壁と隣り合わせになる位置に前面開口が形成され、その前面開口の下縁部を中心にして前後に回動する前後回動蓋を設けて、前記前後回動蓋が前側に回動して開状態になったときは前記前後回動蓋と前面開口との間に前記入賞口が形成される一方、前記前後回動蓋が後側に回動して閉状態になったときは前記前後回動蓋の前方を遊技球が通過可能となるように構成したことを特徴とする請求項１に記載の遊技機。
【請求項３】
前記演出部材側縁突壁のうち前記包囲壁との対向面に前記入賞口が開口すると共に、その入賞口の下縁部を中心にして左右に回動して前記入賞口を開閉する左右回動蓋を設け、前記入賞口を開いたときの前記左右回動蓋を前記誘導部材としたことを特徴とする請求項１に記載の遊技機。
【請求項４】
前記入賞境界線分が接する前記流下経路分割突部は、遊技球が内側を通過可能な門形構造をなした入球ゲートであり、前記演出部材側縁突壁と前記包囲壁との間が、前記入球ゲートの内側の第１流下経路と、前記入球ゲートより前記包囲壁側の第２流下経路と、前記入球ゲートより前記演出部材側縁突壁側の第３流下経路とに分割されていることを特徴とする請求項１乃至３の何れか１の請求項に記載の遊技機。
【発明の詳細な説明】
【技術分野】
【０００１】
本発明は、遊技板の前面に遊技球が流下可能な遊技領域を備えて、その遊技領域が包囲壁によって囲まれた遊技機に関する。
【背景技術】
【０００２】
従来の遊技機は、一般に、遊技の演出を行う液晶モニタを遊技領域の中央に備え、その液晶モニタの側縁部から遊技板の前方に突出した演出部材側縁突壁と包囲壁とが遊技板の左右方向で対向している。そして、遊技領域のうち演出部材側縁突壁と包囲壁とに挟まれた側部領域に、遊技球が通過可能なゲートや、所謂、風車等が配置される一方、側部領域を通過した遊技球が流下する下部領域に、常時開放の一般入賞口、回動扉によって開閉される大入賞口、及び各入賞口に遊技球をガイドする誘導部材等が配置されている（例えば、特許文献１参照）。
【先行技術文献】
【特許文献】
【０００３】
【特許文献１】特開２００７−２５２６２９号（図３）
【発明の概要】
【発明が解決しようとする課題】
【０００４】
ところで、上記した従来の遊技機では、遊技領域における下部領域に比べて側部領域では遊技球の流下の変化が乏しく、側部領域の有効利用が図られていないことが問題になっていた。
【０００５】
本発明は、上記事情に鑑みてなされたもので、遊技領域における側部領域の有効利用を図ることが可能な遊技機の提供を目的とする。
【課題を解決するための手段】
【０００６】
上記目的を達成するためになされた請求項１の発明に係る遊技機は、遊技球が流下可能な遊技領域を前面に備えた遊技板と、遊技板の前面から突出し、遊技領域を囲む包囲壁と、遊技領域に配置され、遊技状況に応じた演出を行う遊技演出部材と、遊技演出部材の側縁部に配置されて遊技板の前面から突出し、遊技板の左右方向で包囲壁に対向した演出部材側縁突壁と、遊技板の前面から突出し、遊技領域のうち演出部材側縁突壁と包囲壁とに挟まれた側部領域を、遊技球が流下可能な複数の流下経路に分割する複数の流下経路分割突部とを備えた遊技機において、側部領域のうち複数の流下経路分割突部の下方には、演出部材側縁突壁のうち包囲壁との対向面と隣り合わせに配置されて上方に開口するか又は、演出部材側縁突壁のうち包囲壁との対向面に開口するかして、遊技球が入球又は通過可能であると共に入球又は通過したときに遊技者に利益を付与する入賞口と、入賞口の開口縁から包囲壁に向かって斜め上方に延びて入賞口に遊技球を誘導可能な入賞ガイド面を有する誘導部材と、誘導部材と包囲壁との間に設けられ、入賞口から外れた遊技球が通過可能な側方外れ球通過路とが備えられ、入賞ガイド面の最上端位置と演出部材側縁突壁とを水平に結ぶ線分を、入賞ガイド面の最上端位置を中心に下方から上方に回動して最初に流下経路分割突部に接したときのその線分を入賞境界線分とすると共に、入賞境界線分と入賞ガイド面と演出部材側縁突壁とに囲まれた領域を、入賞境界線分と入賞ガイド面と演出部材側縁突壁とに囲まれていない領域よりも入賞口に入球又は通過し易い高確率流下領域とし、その高確率流下領域が１つ以上の遊技球が進入可能な大きさになるように複数の流下経路分割突部を配置し、かつ演出部材側縁突壁と入賞境界線分との交差部には遊技球が入球可能な入球部を設け設けないように構成し、演出部材側縁突壁に包囲壁に向かって突出した突出部を設け、その突出部の下方に入賞口を配置すると共に、入賞境界線分が演出部材側縁突壁における突出部から下方に延びる奥面部と交差するように構成されたところに特徴を有する。
【０００７】
請求項２の発明は、請求項１に記載の遊技機において、遊技板の前面には、演出部材側縁突壁と隣り合わせになる位置に前面開口が形成され、その前面開口の下縁部を中心にして前後に回動する前後回動蓋を設けて、前後回動蓋が前側に回動して開状態になったときは前後回動蓋と前面開口との間に入賞口が形成される一方、前後回動蓋が後側に回動して閉状態になったときは前後回動蓋の前方を遊技球が通過可能となるように構成したところに特徴を有する。
【０００８】
請求項３の発明は、請求項１に記載の遊技機において、演出部材側縁突壁のうち包囲壁との対向面に入賞口が開口すると共に、その入賞口の下縁部を中心にして左右に回動して入賞口を開閉する左右回動蓋を設け、入賞口を開いたときの左右回動蓋を誘導部材としたところに特徴を有する。
【００１０】
請求項４の発明は、請求項１乃至３の何れか１の請求項に記載の遊技機において、入賞境界線分が接する流下経路分割突部は、遊技球が内側を通過可能な門形構造をなした入球ゲートであり、演出部材側縁突壁と包囲壁との間が、入球ゲートの内側の第１流下経路と、入球ゲートより包囲壁側の第２流下経路と、入球ゲートより演出部材側縁突壁側の第３流下経路とに分割されているところに特徴を有する。
【発明の効果】
【００１１】
［請求項１の発明］
請求項１の遊技機では、遊技領域における側部領域が、複数の流下経路分割突部によって複数の流下経路に分割されている。そして、側部領域のうち複数の流下経路分割突部の下方に、遊技球が入球又は通過可能な入賞口を設けて、演出部材側縁突壁側に配置すると共に、入賞口の開口縁から包囲壁に向かって斜め上方に延びて入賞口に遊技球を誘導可能な誘導部材を備え、さらに、誘導部材と包囲壁との間を、入賞口から外れた遊技球が通過可能な側方外れ球通過路としたので、側部領域を流下して入賞口に直接入賞するか、誘導部材にガイドされて入賞するか、或いは、入賞口から外れて側方外れ球通過路を通過するかにランダムに分かれ、遊技領域における側部領域での遊技球の流下に興味を抱かせることができる。ここで、誘導部材のうち遊技球を入賞口にガイドする入賞ガイド面の最上端位置と演出部材側縁突壁とを水平に結ぶ線分を、入賞ガイド面の最上端位置を中心に上方に回動して最初に流下経路分割突部に接したときのその線分を入賞境界線分とし、その入賞境界線分と入賞ガイド面と演出部材側縁突壁とに囲まれた領域を、入賞境界線分と入賞ガイド面と演出部材側縁突壁とに囲まれていない領域よりも入賞口に入球又は通過し易い高確率流下領域とすると、高確率流下領域内には流下経路分割突部が無いことになるので、高確率流下領域内での遊技球の流下方向の変化は少ない。つまり、入賞境界線分を入賞口への実質的な入賞口と見なすことができる。そして、高確率流下領域が１つ以上の遊技球が進入可能な大きさになっているので、実質的な入賞口である入賞境界線分を通過した遊技球が高確率流下領域を移動して入賞口へと入球する様子を遊技者は、視認して楽しむことができる。これにより、遊技領域における側部領域での遊技球の流下により一層高い興味を抱かせることができ、側部領域の有効利用を図ることが可能になる。なお、高確率流下領域には、遊技球の流下経路を複数に分割する流下経路分割突部がなければよく、遊技球の流下経路を分割せずに単に遊技球と衝突し得る障害突部であれば、高確率流下領域に設けてもよいし、また設けなくてもよい。具体的には、例えば、障害突部を設ける場合は、演出部材側縁突壁から遊技球１つ分未満離れた位置に障害突部としての障害釘や、遊技板から突出した障害突壁を設けてもよいし、また障害突部を設けなくてもよい。
また、演出部材側縁突壁に包囲壁に向かって突出した突出部を設け、その突出部の下方に入賞口を配置したので、突出部の上端部で側部領域が絞られると共に、突出部を通過したところで側部領域が広がることになり、遊技球の流下に変化が生じる。また、入賞境界線分が演出部材側縁突壁における突出部から下方に延びる奥面部と交差するように構成されているので、奥面部側に遊技球が流下すると、入賞境界線分を超えて入賞口に入賞し易くなる。即ち、遊技球が側部領域を比較的真っ直ぐ流下するよりも、奥面部側に向かって流下した方が入賞口に入賞し易くなる。これにより、遊技球が演出部材側辺突壁における奥面部側に入り込むことに興味を抱かせて、遊技者を楽しませることができる。
【００１２】
［請求項２の発明］
請求項２の遊技機では、遊技板の前面のうち演出部材側縁突壁と隣り合わせになる位置に前面開口を設けて、その前面開口の下縁部を中心に回動する前後回動蓋で開閉可能とし、前後回動蓋が開状態になったときに前後回動蓋と前面開口との間に入賞口が形成されるようにしたので、常時開放した入賞口を設けた場合に比べて、遊技領域における側部領域での遊技球の流下に変化が生じて、より一層高い興味を抱かせることができ、側部領域の有効利用を図ることができる。
【００１３】
［請求項３の発明］
請求項３の遊技機では、演出部材側縁突壁のうち包囲壁との対向面に開口した入賞口を設けて、その入賞口の下縁部を中心にして左右に回動する左右回動蓋にて入賞口が開閉されるので、常時開放した入賞口を設けた場合に比べて、遊技領域における側部領域での遊技球の流下に変化が生じて、より一層高い興味を抱かせることができ、側部領域の有効利用を図ることができる。
【００１５】
［請求項４の発明］
請求項４の遊技機によれば、入賞境界線分が接する流下経路分割突部を入球ゲートにしたので、釘にした場合に比べて、側部領域における遊技球の流下が複雑になり、趣向性が向上する。
【図面の簡単な説明】
【００１６】
【図１】本発明の一実施形態に係るパチンコ遊技機の正面図
【図２】遊技板の正面図
【図３】遊技領域における左側部領域の部分拡大図
【図４】遊技領域における左側部領域の部分拡大図
【図５】第２実施形態における遊技領域のうちの左側部領域の部分拡大図
【図６】第３実施形態における遊技領域のうちの左側部領域の部分拡大図
【図７】第４実施形態における遊技領域のうちの左側部領域の部分拡大図
【図８】他の実施形態（４）における遊技領域のうちの左側部領域の部分拡大図
【発明を実施するための形態】
【００１７】
［第１実施形態］
以下、本発明を適用したパチンコ遊技機１０に係る一実施形態を図１〜図４に基づいて説明する。なお、以下の説明において、遊技者がパチンコ遊技機１０と対向する方向を「前後方向」といい、パチンコ遊技機１０のうち遊技者と対向する面を「前面」、その反対側の面を「後面」ということとする。また、パチンコ遊技機１０を構成する各部位又は各部品の説明において「右側」とは、パチンコ遊技機１０の前面側からその各部位又は各部品を見た場合の右側をいい、その反対側を「左側」ということとする。
【００１８】
パチンコ遊技機１０の前面の中央部分にはガラス窓９５Ｗが設けられ、そのガラス窓９５Ｗを通して遊技領域Ｒ１が視認可能となっている。また、パチンコ遊技機１０の前面のうちガラス窓９５Ｗの上部及び両側部には装飾ランプ９７が設けられており、上端両角部にはスピーカ９８，９８が設けられている。これら装飾ランプ９７及び各スピーカ９８は、パチンコ遊技機１０の前面側に膨出している。
【００１９】
ガラス窓９５Ｗの下方には、上皿２６及び下皿２７が上下２段にして設けられている。これら上皿２６及び下皿２７は、スピーカ９８と同様にパチンコ遊技機１０の前方に膨出している。パチンコ遊技機１０の前面における右下角部には、操作ノブ２８が備えられている。この操作ノブ２８を操作すると、上皿２６に貯留された遊技球が、順次、遊技領域Ｒ１に向けて弾き出される。
【００２０】
遊技領域Ｒ１は、図２に示す全体が略四角形の遊技板１１の前面のうちガイドレール１２（本発明の「包囲壁」に相当する）によって囲まれた略円形の領域である。ガイドレール１２は、帯状の金属板を円弧状に湾曲させてなる第１及び第２の板金レール１２Ａ，１２Ｂとによって構成され、第１板金レール１２Ａが遊技領域Ｒ１の周縁部のうち上側の略１／４円周分ほどを除いた部分に沿わせて配置され、その第１板金レール１２Ａが開放する上側の略１／４円周分の周縁部を上方から覆うように第２板金レール１２Ｂが配置されている。
【００２１】
遊技領域Ｒ１の上方寄り位置には、本発明の「遊技演出部材」に係るメイン表示装置１３が備えられている。メイン表示装置１３は、液晶モジュール（詳細には、ＴＦＴ−ＬＣＤモジュール）で構成され、遊技板１１に貫通形成された表示孔１１Ａの奥部に配置されている。具体的には、遊技板１１の後面側における表示孔１１Ａの開口縁には、図示しない支持枠部材が固定され、その支持枠部材の後端部にメイン表示装置１３が取り付けられて、メイン表示装置１３の液晶画面１３Ｇが表示孔１１Ａを通して前方に臨んでいる。
【００２２】
遊技板１１の前面における表示孔１１Ａの開口縁には、表示装飾枠２３（本発明の「演出部材側縁突壁」に相当する）が取り付けられている。表示装飾枠２３のうち上辺部分及び両側辺部分には、遊技板１１より前方に突出した進入規制壁２３Ｄが備えられ、その進入規制壁２３Ｄにより、表示孔１１Ａの上辺と両側辺から表示孔１１Ａ内に遊技球が進入することを規制している。また、表示装飾枠２３の側方には、略全体に亘って取付壁２３Ｆが張り出している。取付壁２３Ｆには、複数のビス孔（図示せず）が設けられ、表示孔１１Ａの開口縁に取付壁２３Ｆを重ねた状態にしてビス孔にビスが挿通されて、表示装飾枠２３が遊技板１１に固定されている。取付壁２３Ｆの外縁部には傾斜面が形成され、遊技球が取付壁２３Ｆにスムーズに乗り上がるようになっている。なお、図２〜図４には、表示装飾枠２３のうち遊技板１１の前面から突出した部分が、ハッチングによって示されている。
【００２３】
表示装飾枠２３における左上部は、ガイドレール１２から離れる側に湾曲した段差部２３Ａになっていて、段差部２３Ａより右側が左側より高くなっている。これにより、遊技領域Ｒ１に打ち込まれた遊技球は、遊技球の発射速度によって段差部２３Ａを越えて右側の遊技領域Ｒ１に流下するものと、段差部２３Ａに衝突するなどして左側の遊技領域Ｒ１に流下するものとに打ち分けられる。表示装飾枠２３における左側辺部には、ガイドレール１２に向かって突出した突出部２３Ｂが設けられ、その突出部２３Ｂの下方がガイドレール１２と離れる側に湾曲した（突出部２３Ｂから下方に延びる）湾曲部２３Ｃ（本発明に係る「奥面部」に相当する）になっている。これにより、遊技領域Ｒ１における表示装飾枠２３より左側の領域（以下、単に「左側部領域」等という）が突出部２３Ｂで絞られると共に、突出部２３Ｂとガイドレール１２の間を通過したところで湾曲部２３Ｃによって左右方向に広がる構成になっている。
【００２４】
遊技領域Ｒ１のうち表示装飾枠２３の下方には、第１の始動入賞口１４Ａ、第２の始動入賞口１４Ｂ、大入賞口１５及びアウト口１６が、上から順に並べて備えられていると共に、第１及び第２の始動入賞口１４Ａ，１４Ｂの左右両側には、複数の一般入賞口２０，２１が備えられている。また、遊技領域Ｒ１のうち右側部領域には、第２の始動ゲート１８Ｂが備えられる一方、左側部領域には、第１の始動ゲート１８Ａ、側部大入賞口５０及び風車１７が上から順に備えられている。さらに、遊技領域Ｒ１には、表示装飾枠２３の外側領域全体に亘って複数の釘１１Ｎが起立している。なお、第１及び第２の始動ゲート１８Ａ，１８Ｂ、風車１７及び釘１１Ｎは、遊技板１１の前面側に突出して、その前面側を遊技球が流下不能に構成されている。そして、これら第１及び第２の始動ゲート１８Ａ，１８Ｂ、風車１７及び釘１１Ｎのうち、遊技球の流下経路を複数の流下経路に分割可能なものが、本発明に係る「流下経路分割突部」に相当する。
【００２５】
次に所要の各部位についてさらに詳説する。第１及び第２の始動ゲート１８Ａ，１８Ｂは、遊技球が潜って通過可能な門形構造をなした入球ゲート１８Ｇを備え、その入球ゲート１８Ｇの側方から取付壁１８Ｆを張り出している。図３に示すように、入球ゲート１８Ｇは、前面から見て略矩形状をなしている。取付壁１８Ｆには、取付壁２３Ｆと同様に、ビス孔が設けられ、遊技板１１に形成された図示しない貫通孔の開口縁に取付壁１８Ｆを重ねた状態にしてビス孔にビスが挿通され、第１及び第２の始動ゲート１８Ａ，１８Ｂが遊技板１１に固定されている。なお、取付壁１８Ｆにおいても、その外縁部が傾斜面になっていて、遊技球が取付壁１８Ｆにスムーズに乗り上がるようになっている。
【００２６】
また、第１及び第２の始動ゲート１８Ａ，１８Ｂは、表示装飾枠２３の進入規制壁２３Ｄから遊技球１つ分以上離して配置されると共に、ガイドレール１２から遊技球１つ分以上離して配置されている。これにより、遊技球が第１及び第２の始動ゲート１８Ａ，１８Ｂによって、入球ゲート１８Ｇを通過する第１流下経路Ｌ１と、入球ゲート１８Ｇよりガイドレール１２側を通過する第２流下経路Ｌ２と、入球ゲート１８Ｇより表示装飾枠２３側を通過する第３流下経路Ｌ３とに分割されるようになっている（図４参照）。なお、図４には、遊技球の流下経路が矢印にて示されている。
【００２７】
複数の流下経路Ｌ１〜Ｌ３のうち遊技球が入球ゲート１８Ｇ（第１流下経路Ｌ１）を通過すると、第１及び第２の始動ゲート１８Ａ，１８Ｂに内蔵されたゲートスイッチ（図示せず）によって遊技球の通過が検出される。すると、この検出信号に基づいて当否判定が行われ、液晶画面１３Ｇの左下隅の普通図柄表示領域３８に判定結果が表示される。
【００２８】
この普通図柄表示領域３８は、第１及び第２の始動ゲート１８Ａ，１８Ｂ内に設けた検出スイッチが遊技球の通過を検出したときに、例えば、「０」〜「９」までの数字を所定期間に亘って変動表示した後、所定の数字を確定表示する。そして、確定表示された数字が、例えば、奇数の場合には、「当り」となり第２の始動入賞口１４Ｂが開放状態になって、遊技球が入賞し易い状態になる。また、普通図柄表示領域３８が変動表示している間に第１及び第２の始動ゲート１８Ａ，１８Ｂを通過した遊技球は、例えば、４つまで累積カウントされ、図示しないＬＥＤの点灯数で表示される。
【００２９】
一般入賞口２０，２１は、所謂、ポケット構造をなして、遊技板１１の前面から突出した部材上面に開放しており、遊技球が丁度１つ入球可能な大きさで上方に開口している。そして、一般入賞口２０，２１に遊技球が入ると、例えば、４個の遊技球が賞球として上皿２６に払い出される。
【００３０】
第１及び第２の始動入賞口１４Ａ，１４Ｂは、所謂、ポケット構造をなして上方に向かって開口している。上側に配置された第１の始動入賞口１４Ａの上面開口は遊技球を１つずつ受け入れ可能な大きさになっている。下側に配置された第２の始動入賞口１４Ｂは、第１の始動入賞口１４Ａの真下に配置されている。第２の始動入賞口１４Ｂの開口幅も、遊技球を１つずつ受け入れ可能な大きさになっている。第２の始動入賞口１４Ｂの上面開口の左右両側には可動翼１４Ｃ，１４Ｃが備えられている。これら両可動翼１４Ｃ，１４Ｃは、常には起立状態になっている。この起立状態では、第２の始動入賞口１４Ｂへの遊技球の入賞が禁止される。
【００３１】
これに対し、第１及び第２の始動ゲート１８Ａ，１８Ｂへの入賞による当否判定結果が「当り」になると（普通図柄表示部３８で当たりを意味する所定の図柄（例えば、奇数図柄）が表示されると）、第２の始動入賞口１４Ｂが開放状態となる。即ち、第２の始動入賞口１４Ｂに備えた可動翼１４Ｃ，１４Ｃが所定期間（例えば、０．５秒間）に亘って左右に倒れる。可動翼１４Ｃ，１４Ｃが左右に倒れると、その倒れた可動翼１４Ｃ，１４Ｃに案内されて遊技球が第２の始動入賞口１４Ｂに入賞可能となる。
【００３２】
第１と第２の始動入賞口１４Ａ，１４Ｂの何れかに遊技球が入賞すると、各始動入賞口１４Ａ，１４Ｂ内に設けたセンサがその遊技球を検出し、その検出信号に基づいて、予め定められた所定数の遊技球（賞球）が上皿２６に払い出される。また、各始動入賞口１４Ａ，１４Ｂに遊技球が入賞すると、「大当り遊技」を行うか否かを決定する当否判定の権利が発生し、その当否判定結果が液晶画面１３Ｇに表示される。
【００３３】
具体的には、液晶画面１３Ｇには、通常、３つの左、中、右の特別図柄１３Ａ，１３Ｂ，１３Ｃが横並びに表示されている。これら各特別図柄は、例えば、「０」〜「９」の数字を表記した複数種類のもので構成されており、通常は、各特別図柄１３Ａ，１３Ｂ，１３Ｃごと、所定の種類のものが停止表示されている。そして、両始動入賞口１４Ａ，１４Ｂの何れかに遊技球が入賞したときに、これら３つの特別図柄１３Ａ，１３Ｂ，１３Ｃが、変動表示（上下方向にスクロール表示）され、当否判定結果に基づいて所定時間後に、例えば、左、中、右の順で各特別図柄１３Ａ，１３Ｂ，１３Ｃが停止表示される。このとき、当否判定結果が「当り」の場合には、例えば、全ての特別図柄１３Ａ，１３Ｂ，１３Ｃが同じ図柄、即ち、ゾロ目になった場合（図２に示す状態）には、遊技が「大当り遊技状態」に移行する。これに対し、当否判定結果が「外れ」の場合には、ゾロ目以外の組み合わせで停止表示され、「大当り遊技状態」ではない「通常遊技状態」が続く。
【００３４】
また、各特別図柄１３Ａ，１３Ｂ，１３Ｃが、変動表示後、左、右、中の順で各特別図柄１３Ａ，１３Ｂ，１３Ｃを停止する際に、左、右の各特別図柄１３Ａ，１３Ｃが同じ図柄になって先に停止した状態で、中特別図柄１３Ｂが変動表示されたリーチ状態になる場合がある。リーチ状態になると、液晶画面１３Ｇには所定のリーチ演出画像（例えば、キャラクタ画像）が表示される。なお、リーチ状態とは、「可変表示部の特別図柄が可変開始された後、図柄制御が進行して表示結果が停止表示される前段階において、特定の表示態様大当りの組み合わせが表示されやすい可変表示態様となったと遊技者に思わせるための表示状態」であれば、上記のように例示した、左、右の各特別図柄１３Ａ，１３Ｃが同じ図柄のものに限定されない。
【００３５】
ここで、液晶画面１３Ｇにて特別図柄１３Ａ，１３Ｂ，１３Ｃが変動表示している最中又は「大当り遊技」の最中に各始動入賞口１４Ａ，１４Ｂに入賞した遊技球の数は、所定の限度数まで累積カウント（保留）され、特別図柄１３Ａ，１３Ｂ，１３Ｃが外れの図柄組み合わせで停止表示又は「大当り遊技」が終了すると、その保留記憶に基づいて再び、特別図柄１３Ａ，１３Ｂ，１３Ｃの変動表示が開始される。なお、本実施形態の累積カウント数（保留数）は、液晶画面１３Ｇの右下隅の特別図柄保留数表示部３７の点灯数によって遊技者に報知される。また、特別図柄の判定結果が、液晶画面１３Ｇで表示される特別図柄１３Ａ，１３Ｂ，１３Ｃと連動して、図示しない複数のＬＥＤの点灯パターンによって表示される。
【００３６】
大入賞口１５は、遊技板１１の前面に開放して横長形状をなしており、常には、可動扉１５Ｔにて閉塞されている。そして、上記したように特別図柄１３Ａ，１３Ｂ，１３Ｃがゾロ目で停止表示した場合、可動扉１５Ｔが前側に倒れて大入賞口１５が開放し（図２に示す状態）、可動扉１５Ｔをガイドにして大入賞口１５に遊技球が入賞可能になる。大入賞口１５に遊技球が入賞すると予め定められた所定数の遊技球（賞球）が上皿２６に払い出される。
【００３７】
ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入賞したか、の何れかの終了条件が先に満たされた場合に終了する。また、「大当り遊技」は、最大で、例えば１６ラウンドまで継続される。
【００３８】
さて、図４には、本発明の「入賞口」に係る側部大入賞口５０が示されている。本実施形態のパチンコ遊技機１０では、「大当り遊技」の終了後に予め設定された回数まで通常遊技状態よりも遊技者が有利になる「特典遊技」が実行され、特典遊技中に遊技球が第１及び第２の始動入賞口１４Ａ，１４Ｂに入賞し、当否判定結果が「当り」となった場合に、遊技領域Ｒ１の下部領域に設けられた大入賞口１５に代わって、左側部領域に設けられた側部大入賞口５０が開放される構成になっている。また、特典遊技は、特別図柄の当否判定が当りとなる確率が通常時（３／６３０）に比較して高く（３０／６３０）なる確変遊技状態となると共に、第１及び第２の始動ゲート１８Ａ，１８Ｂにおける当否判定の「当り」の発生確率が高くなり、第２の始動入賞口１４Ｂに入賞し易くなる時短状態になる遊技状態や、確変遊技状態だけの場合、時短状態だけの場合などが含まれる。
【００３９】
側部大入賞口５０は、図２に示すように、表示装飾枠２３における湾曲部２３Ｃの下方側に配置され、遊技板１１の前面に開放した矩形状の前面開口５０Ｋを有し、その前面開口５０Ｋが、常には、前後回動蓋５０Ｔにて閉鎖されている（図２及び図３に示す状態）。前後回動蓋５０Ｔは、平板形状をなし、その下縁部を中心に前後に回動可能になっている。そして、所定の条件が成立すると、前後回動蓋５０Ｔがラウンド毎に所定期間（例えば、前後回動蓋５０Ｔの開放時間が３０秒に達したか、又は側部大入賞口５０に遊技球が１０個入賞したか、の何れかなどの終了条件が先に満たされるまでの期間）に亘って前側に倒されて、前後回動蓋５０Ｔの上縁部と前面開口５０Ｋの上縁部との間に側部大入賞口５０が形成され、遊技球が入賞可能となる。
【００４０】
ここで、前面開口５０Ｋは、表示装飾枠２３の突出部２３Ｂが上方側（真上）に位置することによって上方側が覆われていると共に、その右開口縁が表示装飾枠２３の進入規制壁２３Ｄと連接されている（面一になっている）ので、表示装飾枠２３の湾曲部２３Ｃと側部大入賞口５０とに囲まれた湾曲領域（奥面部側）に遊技球が流下すると、遊技球が表示装飾枠２３の進入規制壁２３Ｄに案内されて側部大入賞口５０に入賞し易くなる。即ち、遊技球が入球ゲート１８Ｇよりガイドレール側、即ち、第２流下経路Ｌ２を流下するよりも、表示装飾枠２３の湾曲部２３Ｃと側部大入賞口５０とに囲まれた湾曲領域（奥面部側）、即ち、第３流下経路Ｌ３を遊技球が流下する方が側部大入賞口５０に入賞し易くなっている。一方、前後回動蓋５０Ｔが後側に回動して閉状態となると、遊技球が前後回動蓋５０Ｔの前方を通過するようになっている。なお、側部大入賞口５０に遊技球が入賞すると、予め定められた所定数の遊技球（賞球）が上皿２６に払い出される。
【００４１】
側部大入賞口５０の左開口縁には、表示装飾枠２３と一体に成形され、遊技板１１の前面側から突出した誘導部材６０が設けられている。誘導部材６０は、第１の始動ゲート１８Ａの入球ゲート１８Ｇの真下に配置され、ガイドレール１２に向かって斜め上方に延びている（ガイドレール１２側から側部大入賞口５０に向かって斜め下方に延びている）。また、誘導部材６０は、その側部大入賞口５０側の端部が、図４に示すように前後回動蓋５０Ｔが前側に倒されたときに前後回動蓋５０Ｔの上端部の高さになるように設定されると共に、その上面である入賞ガイド面６０Ｇが前面開口５０Ｋに向かって傾斜した平坦な傾斜面になっている。これにより、遊技球をスムーズに側部大入賞口５０に誘導することができる構成になっている。
【００４２】
また、遊技領域Ｒ１の左側部領域のうち表示装飾枠２３側と反対のガイドレール１２側には、遊技球を複数の流下領域に分割可能な釘１１Ｎが複数設けられおり、それら釘１１Ｎによって遊技球が誘導部材６０に誘導されるか又は、誘導部材６０の左側方に設けられた側方外れ球通過路Ｌ４を通って下方に案内される構成になっている。
【００４３】
ここで、側部大入賞口５０の入賞入口について詳説する。「入賞入口」とは、「入賞口又は当該入賞口に連なる遊技釘等（遊技部材）で構成される遊技球の流下経路のうち、入賞口から最も離れた位置にあるもの」のことであり、「入賞口に連なる遊技釘等」とは、遊技釘間を遊技球が通過できないように遊技釘等を連続配置したもののことをいう。即ち、遊技球を側部大入賞口５０に案内する表示装飾枠２３の進入規制壁２３Ｄ及び誘導部材６０の入賞ガイド面６０Ｇは、「入賞口に連なる遊技釘等」に相当する。なお、一般に、遊技球の直径は１１ｍｍ、釘の柱部分の直径は１．８５ｍｍ、釘の頭部分の直径は４．２ｍｍになっている。
【００４４】
誘導部材６０のうち遊技球を側部大入賞口５０にガイドする入賞ガイド面６０Ｇの最上端位置を最上端位置Ｐ０（円弧の場合は円弧の頂点）とし、その最上端位置Ｐ０から水平に延ばした線分Ｈ（図４に示す一点鎖線）と表示装飾枠２３との交点を交差部Ｐ１とする。そして、この線分Ｈを、入賞ガイド面６０Ｇの最上端位置Ｐ０を中心に表示装飾枠２３の進入規制壁２３Ｄに沿って上方（図４における反時計回り方向）に回動していくと、線分Ｈが交差部Ｐ３に至ったときに、線分Ｈが初めて第１の始動ゲート１８Ａの入球ゲート１８Ｇの右下角部Ｐ２に接する。このときの最上端位置Ｐ０と交差部Ｐ３とを結ぶ線分Ｈが、側部大入賞口５０の入賞境界線分Ｎとなり、側部大入賞口５０への実質的な入賞入口と見なすことができる。
【００４５】
また、ここで、大入賞口の入賞入口は５５ｍｍを越え１３５ｍｍ以下に規定されているため、第１の始動ゲート１８Ａは、入賞境界線分Ｎの長さが上記の範囲内になるように配置されている。なお、「大入賞口」とは、「入賞口のうち役物が作動した場合に著しく入賞が容易になる入賞口」のことである。また、本実施形態では、本発明に係る「入賞口」として大入賞口（側部大入賞口５０）を例にとって入賞入口を説明したが、例えば、入賞境界線分Ｎの長さが５５ｍｍ以下の場合には、開閉式の始動入賞口における入賞入口として本発明を適用することが可能であり、入賞境界線分Ｎの長さが１３ｍｍ以下の場合には、ゲート及び開閉式ではない始動入賞口における入賞入口として本発明を適用することが可能となる。
【００４６】
そして、この入賞境界線分Ｎと入賞ガイド面６０Ｇと表示装飾枠２３とで囲まれた領域（図４に示す斜線のハッチング部分）が、入賞境界線分Ｎと入賞ガイド面６０Ｇと表示装飾枠２３とに囲まれていない領域よりも側部大入賞口５０に遊技球が入賞し易い高確率流下領域Ｋとなる。高確率流下領域Ｋは、遊技球を１つ以上進入可能である（含むことができる）と共に、遊技球を複数の流下経路に分割可能な釘１１Ｎが複数設けられていないので、高確率流下領域Ｋ内での遊技球の流下方向の変化が少なく、高確率流下領域Ｋに流下した遊技球のほとんどが側部大入賞口５０に入賞し易いようになっている。また、表示装飾枠２３（演出部材側縁突壁）と入賞境界線分Ｎとの交差部Ｐ１に遊技球が入球可能な入球部を設けることなく、実質的な入賞入口を構成することが可能となる。なお、第１の始動ゲート１８Ａの入球ゲート１８Ｇが、本発明の「流下経路分割突部」に相当する。
【００４７】
本実施形態のパチンコ遊技機１０の構成に関する説明は以上である。次に、本実施形態のパチンコ遊技機１０の作用効果について説明する。操作ノブ２８を操作して複数の遊技球を、順次、遊技領域Ｒ１に打ち込むと、それら遊技球が釘１１Ｎや表示装飾枠２３の段差部２３Ａに衝突して遊技領域Ｒ１の左側部領域に流下するものと、段差部２３Ａを乗り越えて遊技領域Ｒ１の右側部領域に流下するものとに打ち分けられる。そして、左側部領域に流下した遊技球が段差部２３Ａから突出部２３Ｂの側方を流下して湾曲部２３Ｃの側方に至ると、複数の釘１１Ｎによって流下経路が複数に分割され、その一部の遊技球が、入球ゲート１８Ｇより左側の第２流下経路Ｌ２を流下し、別の一部が入球ゲート１８Ｇより表示装飾枠２３側の第３流下経路Ｌ３を流下し、また別の一部が入球ゲート１８Ｇを通過する第１流下経路Ｌ１を流下する（図４参照）。
【００４８】
このとき、遊技球が入球ゲート１８Ｇを通過した場合には、普通図柄当否判定が実行され、その当否判定結果が普通図柄表示領域３８に報知される。そして、流下方向をランダムに変化させながら流下した遊技球のうちのいくつかが第１及び第２の始動入賞口１４Ａ，１４Ｂに入賞する。そして、入賞を起因に所定数の遊技球（賞球）が上皿２６に払い出されると共に当否判定が行われ、その当否判定結果が液晶画面１３Ｇに表示される。即ち、当否判定の結果に基づいて液晶画面１３Ｇにおいて、３つの特別図柄１３Ａ，１３Ｂ，１３Ｃが、上下方向にスクロール表示された後、左、右、中の順番で特別図柄１３Ａ，１３Ｂ，１３Ｃが停止表示され、それら特別図柄１３Ａ，１３Ｂ，１３Ｃが同一であるか否かによって当否判定結果が報知される。
【００４９】
当否判定結果が「当り」の場合には、左、中、右の全ての特別図柄１３Ａ，１３Ｂ，１３Ｃが同じ図柄で停止表示されて、その後、「大当り遊技」が開始される。即ち、大入賞口１５を閉鎖していた可動扉１５Ｔが所定期間に亘って前方に倒れ、遊技領域Ｒ１を流下する遊技球が可動扉１５Ｔを案内にして大入賞口１５に入賞可能となる遊技が実行される。
【００５０】
「大当り遊技」が終了すると、本実施形態では、「特典遊技」が実行され、特典遊技中に当否判定の結果が当りとなると、大入賞口１５に代わって側部大入賞口５０が開放される大当り遊技が実行され、遊技領域Ｒ１のうち一側部領域（本実施形態では、左側部領域）に遊技者の注目を集めることができる。また、本実施形態の特典遊技では、通常の遊技状態に比べて遊技者に有利な確変遊技状態及び／又は時短状態となる。そして、遊技球が第１及び第２の始動入賞口１４Ａ，１４Ｂに入賞すると、所定数の遊技球（賞球）が上皿２６に払い出されると共に当否判定が行われ、その当否判定の結果が「当り」の場合に、側部大入賞口５０が開放される。すると、側部大入賞口５０に遊技球が入賞可能となる。なお、本実施形態では、大当り遊技終了後に回数限定の特典遊技が実行されるように構成されているが、例えば、大当り時に特典遊技を実行するか否かを決定する構成としてもよいとする。また、特典遊技の実行回数を設定せず、次回大当りになるまで特典遊技を実行する構成としてもよいとする。
【００５１】
ここで、本実施形態では、側部大入賞口５０の上方及び側方に、第１の始動ゲート１８Ａ及び釘１１Ｎを配置し、さらに誘導部材６０とガイドレール１２との間を側方外れ球通過路Ｌ４とする構成としたので、遊技領域Ｒ１を流下した遊技球が、左側部領域を流下して第１の始動ゲート１８Ａや釘１１Ｎに接触しながら高確率流下領域Ｋに入って側部大入賞口５０に入賞するか、誘導部材６０にガイドされて高確率流下領域Ｋに入って入賞するか、或いは、側部大入賞口５０を外れて側方外れ球通過路Ｌ４を通過するかにランダムに分かれ、遊技者に遊技領域Ｒ１における側部領域での遊技球の流下に興味を抱かせることができる。
【００５２】
しかも、表示装飾枠２３の湾曲部２３Ｃと側部大入賞口５０とに囲まれた湾曲領域（奥面部側）に遊技球が流下すると、高確率流下領域Ｋ内に入りやすく、側部大入賞口５０に入賞し易くなる構成になっているので、遊技球が湾曲部２３Ｃと側部大入賞口５０とに囲まれた湾曲領域（奥面部側）の奥側に入り込むことに興味を抱かせて、遊技者を楽しませることができる。そして、図４に示す入賞境界線分Ｎ（入賞ガイド面６０Ｇの最上端位置Ｐ０から湾曲部２３Ｃ（奥面部）の交差点Ｐ３までのＰ０・Ｐ２・Ｐ３を結ぶ線分）を側部大入賞口５０の実質的な入賞入口と見なすことができるので、遊技者は、入賞境界線分Ｎを通過した遊技球が高確率流下領域Ｋを移動して側部大入賞口５０へと入賞する様子を視認して楽しむことができる。
【００５３】
さらに、本実施形態では、前後回動蓋５０Ｔが開状態になったときに前後回動蓋５０Ｔの上縁部と前面開口５０Ｋの上縁部との間に側部大入賞口５０が形成されるようにしたので、前後回動蓋５０Ｔの開閉状態によって側部大入賞口５０の前方を遊技球が通過可能な場合と、通過できない場合とを有することができ、常時開放した側部大入賞口を設けた場合に比べて、遊技領域Ｒ１における左側部領域での遊技球の流下に変化が生じて、より一層高い興味を抱かせることができる。
【００５４】
このように、本発明によれば、遊技領域Ｒ１における側部領域（左側部領域）に、第１の始動ゲート１８Ａを設けると共に、その下方に側部大入賞口５０と誘導部材６０とを配置して、側部大入賞口５０の入賞入口を入賞境界線分Ｎと見なすことができる構成としたので、遊技領域Ｒ１における側部領域での遊技球の流下に、より一層高い興味を抱かせることができ、側部領域の有効利用を図ることが可能になる。
【００５５】
［第２実施形態］
本実施形態のパチンコ遊技機１０Ｖを、図５に基づいて説明する。本実施形態は、高確率流下領域Ｋ内に釘１１Ｎが設けられている点が前記第１実施形態と異なる。具体的には、高確率流下領域Ｋのうち、表示装飾枠２３の進入規制壁２３Ｄから遊技球１つ分未満離れた位置に釘１１Ｎ（以下、この釘１１Ｎを、他の釘１１Ｎと区別するために、「障害釘１１Ｒ」という）が配置され、障害釘１１Ｒと表示装飾枠２３との間を遊技球が通過不能な構成になっている。つまり、障害釘１１Ｒによって高確率流下領域Ｋ内が複数の流下経路には分割されないものの、遊技球の流下方向を僅かに変化させることができる構成になっている。なお、高確率流下領域Ｋには、遊技球の流下経路を分割可能な流下経路分割突部がなければよく、遊技球の流下経路を分割せず単に遊技球と衝突し得るものであればよく、上記した「障害突部」としての障害釘１１Ｒ以外に、樹脂などで構成された遊技部材であってもよい。また、障害突部は、１つでもよいし、複数設けた構成であってもよい。
【００５６】
このような構成においても、前記第１実施形態と同様の効果を奏することができると共に、高確率流下領域Ｋ内の遊技球の流れに僅かな変化を生じさせることができ、遊技の趣向性を向上させることができる。
【００５７】
［第３実施形態］
本実施形態のパチンコ遊技機１０Ｗを、図６に基づいて説明する。前記第１実施形態では、本発明に係る「流下経路分割突部」が第１の始動ゲート１８Ａによって構成されていたが、本実施形態では、第１の始動ゲート１８Ａに代わって、釘１１Ｎ（以下、この釘１１Ｎを、他の釘１１Ｎと区別するために、「境界釘１１Ｋ」という）が配置されている。そして、本実施形態では、入賞ガイド面６０Ｇの最上端位置Ｐ０から延びる線分Ｈを上方（図６における反時計回り）に回動していき、境界釘１１Ｋにおける柱部分の外周面の点Ｐ２と接したときの線分Ｈが、入賞境界線分Ｎ（入賞ガイド面６０Ｇの最上端位置Ｐ０から湾曲部２３Ｃ（奥面部）の交差点Ｐ３までのＰ０・Ｐ２・Ｐ３を結ぶ線分）となる。
【００５８】
このような構成においても、前記第１実施形態と同様の効果を奏することができる。なお、図６では、複数の釘１１Ｎのうち境界釘１１Ｋにおいてのみ、頭部分が二点鎖線、柱部分が実線で表示されている。
【００５９】
［第４実施形態］
本実施形態のパチンコ遊技機１０Ｘを、図７に基づいて説明する。本実施形態は、側部大入賞口７０の構成が前記第１実施形態と異なる。本実施形態の側部大入賞口７０は、表示装飾枠２３の進入規制壁２３Ｄに設けられ、ガイドレール１２に向かって開口している。また、側部大入賞口７０は、常には、左右回動蓋７０Ｔによって閉鎖されていて（図７に示す一点鎖線の状態）、所定の条件が成立すると、左右回動蓋７０Ｔの下端部を中心に反時計回りに回動して側部大入賞口７０が開状態となり、左右回動蓋７０Ｔ（本発明の「誘導部材」に相当する）における側部大入賞口７０と対向する内側面をガイドにして（本発明の「入賞ガイド面」に相当する）、遊技球が側部大入賞口７０に入賞可能となる。
【００６０】
そして、本実施形態では、左右回動蓋７０Ｔが反時計回りに回動して停止した状態における左右回動蓋７０Ｔの最上端位置Ｐ０から延びる線分Ｈを上方（図７における反時計回り）に回動していき、第１の始動ゲート１８Ａと右下角部Ｐ２と接したときの線分Ｈが、入賞境界線分Ｎ（入賞ガイド面６０Ｇの最上端位置Ｐ０から湾曲部２３Ｃ（奥面部）の交差点Ｐ３までのＰ０・Ｐ２・Ｐ３を結ぶ線分）となる。このような構成においても、前記第１実施形態と同様の効果を奏することができる。
【００６２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６３】
（１）前記実施形態では、パチンコ遊技機に本発明を適用していたが、遊技機であれば、コイン遊技機やスロットマシン、アレンジボール等に備えてもよい。
【００６４】
（２）前記実施形態の誘導部材６０における入賞ガイド面６０Ｇは、平坦な傾斜面であったが、例えば、湾曲した面であってもよい。
【００６５】
（３）前記実施形態では、流下経路分割突部（第１の始動ゲート１８Ａ、境界釘１１Ｋ）が遊技領域Ｒ１における左側部領域に配置されていたが、右側部領域であってもよいし、左右両側部領域に配置された構成であってもよい。
【００６６】
（４）本発明は、前記第１〜第４の実施形態に限るものではなく、例えば、図８に示すように、第３実施形態（図６参照）において、側部大入賞口５０及び誘導部材６０の代わりに側部大入賞口７０と左右回動蓋７０Ｔとを備えた構成のものであってもよい。なお、図８には、複数の釘１１Ｎのうち境界釘１１Ｋにおいてのみ、頭部分が二点鎖線、柱部分が実線で表示されている。
なお、前記実施形態を概念化すると、以下の［１］〜［５］の発明となる。
［１］遊技球が流下可能な遊技領域を前面に備えた遊技板と、
前記遊技板の前面から突出し、前記遊技領域を囲む包囲壁と、
前記遊技領域に配置され、遊技状況に応じた演出を行う遊技演出部材と、
前記遊技演出部材の側縁部に配置されて前記遊技板の前面から突出し、前記遊技板の左右方向で前記包囲壁に対向した演出部材側縁突壁と、
前記遊技板の前面から突出し、前記遊技領域のうち前記演出部材側縁突壁と前記包囲壁とに挟まれた側部領域を、遊技球が流下可能な複数の流下経路に分割する複数の流下経路分割突部とを備えた遊技機において、
前記側部領域のうち前記複数の流下経路分割突部の下方には、
前記演出部材側縁突壁のうち前記包囲壁との対向面と隣り合わせに配置されて上方に開口するか又は、前記演出部材側縁突壁のうち前記包囲壁との対向面に開口するかして、遊技球が入球又は通過可能であると共に入球又は通過したときに遊技者に利益を付与する入賞口と、
前記入賞口の開口縁から前記包囲壁に向かって斜め上方に延びて前記入賞口に遊技球を誘導可能な入賞ガイド面を有する誘導部材と、
前記誘導部材と前記包囲壁との間に設けられ、前記入賞口から外れた遊技球が通過可能な側方外れ球通過路とが備えられ、
前記入賞ガイド面の最上端位置と前記演出部材側縁突壁とを水平に結ぶ線分を、前記入賞ガイド面の最上端位置を中心に下方から上方に回動して最初に前記流下経路分割突部に接したときのその線分を入賞境界線分とすると共に、前記入賞境界線分と前記入賞ガイド面と前記演出部材側縁突壁とに囲まれた領域を、前記入賞境界線分と前記入賞ガイド面と前記演出部材側縁突壁とに囲まれていない領域よりも前記入賞口に入球又は通過し易い高確率流下領域とし、その高確率流下領域が１つ以上の遊技球が進入可能な大きさになるように前記複数の流下経路分割突部を配置し、かつ前記演出部材側縁突壁と前記入賞境界線分との交差部には遊技球が入球可能な入球部を設けないことを特徴とする遊技機。
［２］前記遊技板の前面には、前記演出部材側縁突壁と隣り合わせになる位置に前面開口が形成され、その前面開口の下縁部を中心にして前後に回動する前後回動蓋を設けて、前記前後回動蓋が前側に回動して開状態になったときは前記前後回動蓋と前面開口との間に前記入賞口が形成される一方、前記前後回動蓋が後側に回動して閉状態になったときは前記前後回動蓋の前方を遊技球が通過可能となるように構成したことを特徴とする［１］に記載の遊技機。
［３］前記演出部材側縁突壁のうち前記包囲壁との対向面に前記入賞口が開口すると共に、その入賞口の下縁部を中心にして左右に回動して前記入賞口を開閉する左右回動蓋を設け、前記入賞口を開いたときの前記左右回動蓋を前記誘導部材としたことを特徴とする［１］に記載の遊技機。
［４］前記演出部材側縁突壁に前記包囲壁に向かって突出した突出部を設け、その突出部の下方に前記入賞口を配置すると共に、前記入賞境界線分が前記演出部材側縁突壁における前記突出部から下方に延びる奥面部と交差するように構成されたことを特徴とする［１］乃至［３］の何れか１に記載の遊技機。
［５］前記入賞境界線分が接する前記流下経路分割突部は、遊技球が内側を通過可能な門形構造をなした入球ゲートであり、前記演出部材側縁突壁と前記包囲壁との間が、前記入球ゲートの内側の第１流下経路と、前記入球ゲートより前記包囲壁側の第２流下経路と、前記入球ゲートより前記演出部材側縁突壁側の第３流下経路とに分割されていることを特徴とする［１］乃至［４］の何れか１に記載の遊技機。
［１］の遊技機では、遊技領域における側部領域が、複数の流下経路分割突部によって複数の流下経路に分割されている。そして、側部領域のうち複数の流下経路分割突部の下方に、遊技球が入球又は通過可能な入賞口を設けて、演出部材側縁突壁側に配置すると共に、入賞口の開口縁から包囲壁に向かって斜め上方に延びて入賞口に遊技球を誘導可能な誘導部材を備え、さらに、誘導部材と包囲壁との間を、入賞口から外れた遊技球が通過可能な側方外れ球通過路としたので、側部領域を流下して入賞口に直接入賞するか、誘導部材にガイドされて入賞するか、或いは、入賞口から外れて側方外れ球通過路を通過するかにランダムに分かれ、遊技領域における側部領域での遊技球の流下に興味を抱かせることができる。ここで、誘導部材のうち遊技球を入賞口にガイドする入賞ガイド面の最上端位置と演出部材側縁突壁とを水平に結ぶ線分を、入賞ガイド面の最上端位置を中心に上方に回動して最初に流下経路分割突部に接したときのその線分を入賞境界線分とし、その入賞境界線分と入賞ガイド面と演出部材側縁突壁とに囲まれた領域を、入賞境界線分と入賞ガイド面と演出部材側縁突壁とに囲まれていない領域よりも入賞口に入球又は通過し易い高確率流下領域とすると、高確率流下領域内には流下経路分割突部が無いことになるので、高確率流下領域内での遊技球の流下方向の変化は少ない。つまり、入賞境界線分を入賞口への実質的な入賞口と見なすことができる。そして、高確率流下領域が１つ以上の遊技球が進入可能な大きさになっているので、実質的な入賞口である入賞境界線分を通過した遊技球が高確率流下領域を移動して入賞口へと入球する様子を遊技者は、視認して楽しむことができる。これにより、遊技領域における側部領域での遊技球の流下により一層高い興味を抱かせることができ、側部領域の有効利用を図ることが可能になる。なお、高確率流下領域には、遊技球の流下経路を複数に分割する流下経路分割突部がなければよく、遊技球の流下経路を分割せずに単に遊技球と衝突し得る障害突部であれば、高確率流下領域に設けてもよいし、また設けなくてもよい。具体的には、例えば、障害突部を設ける場合は、演出部材側縁突壁から遊技球１つ分未満離れた位置に障害突部としての障害釘や、遊技板から突出した障害突壁を設けてもよいし、また障害突部を設けなくてもよい。
［２］の発明によれば、遊技板の前面のうち演出部材側縁突壁と隣り合わせになる位置に前面開口を設けて、その前面開口の下縁部を中心に回動する前後回動蓋で開閉可能とし、前後回動蓋が開状態になったときに前後回動蓋と前面開口との間に入賞口が形成されるようにしたので、常時開放した入賞口を設けた場合に比べて、遊技領域における側部領域での遊技球の流下に変化が生じて、より一層高い興味を抱かせることができ、側部領域の有効利用を図ることができる。
［３］の発明によれば、演出部材側縁突壁のうち包囲壁との対向面に開口した入賞口を設けて、その入賞口の下縁部を中心にして左右に回動する左右回動蓋にて入賞口が開閉されるので、常時開放した入賞口を設けた場合に比べて、遊技領域における側部領域での遊技球の流下に変化が生じて、より一層高い興味を抱かせることができ、側部領域の有効利用を図ることができる。
［４］の発明によれば、演出部材側縁突壁に包囲壁に向かって突出した突出部を設け、その突出部の下方に入賞口を配置したので、突出部の上端部で側部領域が絞られると共に、突出部を通過したところで側部領域が広がることになり、遊技球の流下に変化が生じる。また、入賞境界線分が演出部材側縁突壁における突出部から下方に延びる奥面部と交差するように構成されているので、奥面部側に遊技球が流下すると、入賞境界線分を超えて入賞口に入賞し易くなる。即ち、遊技球が側部領域を比較的真っ直ぐ流下するよりも、奥面部側に向かって流下した方が入賞口に入賞し易くなる。これにより、遊技球が演出部材側辺突壁における奥面部側に入り込むことに興味を抱かせて、遊技者を楽しませることができる。
［５］の発明によれば、入賞境界線分が接する流下経路分割突部を入球ゲートにしたので、釘にした場合に比べて、側部領域における遊技球の流下が複雑になり、趣向性が向上する。
【符号の説明】
【００６７】
１０，１０Ｖ，１０Ｗ，１０Ｘ，１０Ｙ    パチンコ遊技機
１１Ｋ    境界釘（流下経路分割突部）
１１Ｒ    障害釘
１２    ガイドレール（包囲壁）
１３    メイン表示装置（遊技演出部材）
１８Ａ    第１の始動ゲート
１８Ｇ    入球ゲート（流下経路分割突部）
２３，２３Ｖ    表示装飾枠（演出部材側辺突壁）
２３Ｂ    突出部
２３Ｃ    湾曲部（奥面部）
２３Ｄ    進入規制壁
５０，７０    側部大入賞口（入賞口）
５０Ｋ    前面開口
５０Ｔ    前後回動蓋
６０    誘導部材
６０Ｇ    入賞ガイド面
７０Ｔ    左右回動蓋（誘導部材）
Ｋ    高確率流下領域
Ｌ１    第１流下経路
Ｌ３    第２流下経路
Ｌ３    第３流下経路
Ｌ４    側方外れ球通過路
Ｎ    入賞境界線分
【図１】
0005415595.tif 000002
【図２】
0005415595.tif 000003
【図３】
0005415595.tif 000004
【図４】
0005415595.tif 000005
【図５】
0005415595.tif 000006
【図６】
0005415595.tif 000007
【図７】
0005415595.tif 000008
【図８】
0005415595.tif 000009